(57)【特許請求の範囲】
【請求項１】
着座者から入力される荷重を支持する荷重支持面を有する基体と、
前記荷重支持面に設けられ、該荷重支持面に沿う一方向に延びる隙間が形成されたクッション材と、
前記クッション材の表面を被覆する表皮部、及びクッション材の前記隙間に配置される芯材部を有する表皮材と、
該表皮材を前記基体に固定する固定手段と、を備え、
前記固定手段は、
前記荷重支持面から前記荷重の入力方向に凹み前記一方向に延びる位置決め部と、
前記芯材部に設けられ前記一方向に延びるとともに、前記位置決め部に配置される被係止部と、
前記荷重支持面に設けられ、前記被係止部の前記一方向の一部を係止する係止部と、を有し、
前記係止部の先端部と前記荷重支持面との間には、前記被係止部が挿通可能な挿通空間が形成され、
前記係止部は、前記挿通空間を開閉する方向に弾性変形可能であり、
前記挿通空間は、前記荷重の入力方向に対して交差する方向に開口していることを特徴とする椅子用荷重支持部材。
【請求項２】
前記係止部は、前記荷重支持面に設けられた基部と、該基部から延び、前記位置決め部を挟んで前記荷重支持面との間に前記挿通空間を形成し前記被係止部を係止する係止本体と、を有し、
前記係止部は、複数あり、前記位置決め部における前記一方向と直交し前記荷重支持面に沿う直交方向の両側にそれぞれ配置されていることを特徴とする請求項１に記載の椅子用荷重支持部材。
【請求項３】
前記荷重支持面に設けられ、前記位置決め部を挟んで前記挿通空間側から立設された抜け止め部を備えることを特徴とする請求項１または２に記載の椅子用荷重支持部材。
【請求項４】
着座者から入力される荷重を支持する荷重支持面を有する基体と、
前記荷重支持面に設けられ、該荷重支持面に沿う一方向に延びる隙間が形成されたクッション材と、
前記クッション材の表面を被覆する表皮部、及びクッション材の前記隙間に配置される芯材部を有する表皮材と、
該表皮材を前記基体に固定する固定手段と、を備え、
前記固定手段は、
前記荷重支持面から前記荷重の入力方向に凹み前記一方向に延びる位置決め部と、
前記芯材部に設けられ前記一方向に延びるとともに、前記位置決め部に配置される被係止部と、
前記荷重支持面に設けられ、前記被係止部の前記一方向の一部を係止する係止部と、を有し、
前記係止部の先端部には、前記荷重支持面側に向かって延びる係止爪部が設けられていることを特徴とする椅子用荷重支持部材。
【請求項５】
前記位置決め部の前記一方向の長さは、前記係止部の前記一方向の長さよりも長いことを特徴とする請求項１から４のいずれか一項に記載の椅子用荷重支持部材。
【請求項６】
床面に設置される脚体と、
該脚体に支持された座体と、
該座体から上方に立ち上がって設けられた背凭れと、を備え、
前記座体及び前記背凭れの少なくとも一方は、請求項１から５のいずれか一項に記載の椅子用荷重支持部で構成されていることを特徴とする椅子。
【発明の詳細な説明】
【技術分野】
【０００１】
本発明は、椅子用荷重支持部材及び椅子に関するものである。
【背景技術】
【０００２】
一般に、椅子の背凭れや座等の荷重支持部材として、良好な着座感を確保するためにクッション材を備えたものが知られている。例えば、板状に形成された基板と、基板の表面側を被覆するウレタン等のクッション材と、クッション材を覆う表皮材と、を備えた荷重支持部材がある。
【０００３】
例えば、特許文献１では、保持板と、保持板に固定されたシートパッドと、シートパッドを覆うトリムカバーと、を備え、保持板には固定部材が設けられ、シートパッドにはスリットが形成され、トリムカバーには引き布が設けられたシートが提案されている。このシートでは、トリムカバーの引き布がシートパットのスリットに挿通され、保持板の固定部材に固定されている。
【０００４】
また、特許文献２では、シートパッドと、シートパッドを覆うシート表皮材と、を備え、シートパッドの内部には係止片を有する帯状クリップが設けられ、表皮材には吊ワイヤが設けられたシートが提案されている。このシートでは、表皮材の吊ワイヤをシートパッド側から治具で引き込み、シートパッドに設けられた係止片に係止させることで、表皮材がシートパッドに装着されている。
【先行技術文献】
【特許文献】
【０００５】
【特許文献１】実開昭６３−１１７３８５号公報
【特許文献２】実公平４−７９６号公報
【発明の概要】
【発明が解決しようとする課題】
【０００６】
しかしながら、上記の特許文献１に記載のシートでは、表皮材としてのトリムカバーの引き布を基体としての保持版の固定部材に固定する作業は、シートパットのスリットの間に手を差し込み、作業者は固定部材を視認できない状態で行う。このため、固定部材の溝を押し広げて、固定部材内に引き布の端部に設けられた嵌合部材を嵌合させる作業が、作業者の経験や感覚等によるため、作業者によっては固定作業が難しく、作業時間が長くかかってしまったり、表皮材の張り具合が悪くなったりするという問題点がある。
【０００７】
また、上記の特許文献２に記載のシートでは、表皮材をシートパッドに装着する際には、治具を用いて固定作業を行わなくてはならないため、作業が煩わしいという問題点がある。
【０００８】
本発明は、上記事情に鑑みてなされたものであり、視認できない状態で、表皮材を適切に且つ容易に基体に固定することができる椅子用荷重支持部材及び椅子を提供するものである。
【課題を解決するための手段】
【０００９】
上記目的を達成するために、本発明は以下の手段を採用している。
すなわち、本発明に係る椅子用荷重支持部材は、着座者から入力される荷重を支持する荷重支持面を有する基体と、前記荷重支持面に設けられ、該荷重支持面に沿う一方向に延びる隙間が形成されたクッション材と、前記クッション材の表面を被覆する表皮部、及びクッション材の前記隙間に配置される芯材部を有する表皮材と、該表皮材を前記基体に固定する固定手段と、を備え、前記固定手段は、前記荷重支持面から前記荷重の入力方向に凹み前記一方向に延びる位置決め部と、前記芯材部に設けられ前記一方向に延びるとともに、前記位置決め部に配置される被係止部と、前記荷重支持面に設けられ、前記被係止部の前記一方向の一部を係止する係止部と、を有し、前記係止部の先端部と前記荷重支持面との間には、前記被係止部が挿通可能な挿通空間が形成され、前記係止部は、前記挿通空間を開閉する方向に弾性変形可能であり、前記挿通空間は、前記荷重の入力方向に対して交差する方向に開口していることを特徴とする。
【００１０】
このように構成された椅子用荷重支持部材では、表皮材を基体に固定する際には、基体の荷重支持面から荷重の入力方向に凹み一方向に延びる位置決め部に、表皮材の芯材部に設けられ一方向に延びる被係止部を配置する。次に、荷重支持面に設けられた係止部で、被係止部の一方向の一部を係止させる。このように、表皮材に設けられた被係止部を基体の位置決め部に位置決めさせるため、作業者が視認できない状態でも、被係止部の基体に対する位置ずれ等が抑制され、適切な位置に配置することができる。そして、適切な位置に配置した状態で、被係止部の一方向の一部を係止部で係止させれば、表皮材が基体に固定されるため、容易に固定作業を行うことができる。よって、視認できない状態で、表皮材を適切かつ容易に基体に固定することができる。
また、表皮材を基体に固定する際には、係止部の先端部と荷重支持面との間に形成された挿通空間に被係止部を挿通させて、被係止部を係止部で係止させればよい。よって、容易な作業で、表皮材を基体に固定することができる。
【００１３】
また、本発明に係る椅子用荷重支持部材では、前記係止部は、前記荷重支持面に設けられた基部と、該基部から延び、前記位置決め部を挟んで前記荷重支持面との間に前記挿通空間を形成し前記被係止部を係止する係止本体と、を有し、前記係止部は、複数あり、前記位置決め部における前記一方向と直交し前記荷重支持面に沿う直交方向の両側にそれぞれ配置されていてもよい。
【００１４】
このように構成された椅子用荷重支持部材では、係止部が複数あり、位置決め部における一方向と直交し荷重支持面に沿う直交方向の両側にそれぞれ配置されている。よって、位置決め部の一方側に設けられた係止部は、挿通空間が位置決め部の他方側に形成されるが、被係止部は位置決め部の他方側に配置された係止部の基部により、他方側への移動が規制されため、被係止部が挿通空間から抜け出すことが抑制される。
【００１５】
また、本発明に係る椅子用荷重支持部材は、前記荷重支持面に設けられ、前記位置決め部を挟んで前記挿通空間側から立設された抜け止め部を備えていてもよい。
【００１６】
このように構成された椅子用荷重支持部材では、荷重支持面には、位置決め部を挟んで係止部が設けられた側とは反対側に、抜け止め部が立設されている。よって、被係止部が位置決め部を挟んで係止部が設けられた側とは反対側に移動しようとした際には、被係止部が抜け止め部と干渉するため、被係止部が係止部から抜け出すことが抑制される。
【００１７】
また、本発明に係る椅子用荷重支持部材は、着座者から入力される荷重を支持する荷重支持面を有する基体と、前記荷重支持面に設けられ、該荷重支持面に沿う一方向に延びる隙間が形成されたクッション材と、前記クッション材の表面を被覆する表皮部、及びクッション材の前記隙間に配置される芯材部を有する表皮材と、該表皮材を前記基体に固定する固定手段と、を備え、前記固定手段は、前記荷重支持面から前記荷重の入力方向に凹み前記一方向に延びる位置決め部と、前記芯材部に設けられ前記一方向に延びるとともに、前記位置決め部に配置される被係止部と、前記荷重支持面に設けられ、前記被係止部の前記一方向の一部を係止する係止部と、を有し、前記係止部の先端部には、前記荷重支持面側に向かって延びる係止爪部が設けられていてもよい。
【００１８】
このように構成された椅子用荷重支持部材では、係止部の先端部には、荷重支持面側に向かって延びる係止爪部が設けられているため、係止部に係止された被係止部が係止部から抜け出すことが抑制される。
【００１９】
また、本発明に係る椅子用荷重支持部材では、前記位置決め部の前記一方向の長さは、前記係止部の前記一方向の長さよりも長くてもよい。
【００２０】
このように構成された椅子用荷重支持部材では、位置決め部の一方向の長さは、係止部の一方向の長さよりも長いため、被係止部を位置決め部に位置決めする際には、被係止部の延在方向（一方向）にわたって適切に位置決めすることができる。また、被係止部を係止部で係止させる前の段階、つまり被係止部を位置決め部に配置する段階において、係止部が配置されていない箇所では、係止部が干渉とならないため、被係止部の損傷が抑制される。
【００２１】
また、本発明に係る椅子は、床面に設置される脚体と、該脚体に支持された座体と、該座体から上方に立ち上がって設けられた背凭れと、を備え、前記座体及び前記背凭れの少なくとも一方は、上記のいずれか一項に記載の椅子用荷重支持部材で構成されていることを特徴とする。
【００２２】
このように構成された椅子では、荷重支持部材において、表皮材を基体に固定する際には、基体の荷重支持面から荷重の入力方向に凹み一方向に延びる位置決め部に、表皮材の芯材部に設けられ一方向に延びる被係止部を配置する。次に、荷重支持面に設けられた係止部で、被係止部の一方向の一部を係止させる。このように、表皮材に設けられた被係止部を基体の位置決め部に位置決めさせるため、作業者が視認できない状態でも、被係止部の基体に対する位置ずれ等が抑制され、適切な位置に配置することができる。そして、適切な位置に配置した状態で、被係止部の一方向の一部を係止部で係止させれば、表皮材が基体に固定されるため、容易に固定作業を行うことができる。このような荷重支持部材を座体や背凭れに適用することにより、視認できない状態で、表皮材を適切かつ容易に基体に固定して、座体や背凭れを組み立てることができる。
【発明の効果】
【００２３】
本発明に係る椅子用荷重支持部材及び椅子によれば、視認できない状態で、表皮材を適切に且つ容易に基体に固定することができる。
【図面の簡単な説明】
【００２４】
【図１】本発明の一実施形態に係る椅子の斜視図である。
【図２】本発明の一実施形態に係る椅子の背凭れの基体の正面図である。
【図３】図２のＡ−Ａ断面図（端面図）である。
【図４】図２のＢ−Ｂ断面図（端面図）である。
【図５】図２のＣ−Ｃ断面図（端面図）である。
【図６】本発明の一実施形態に係る椅子の背凭れの係止部周辺の拡大図である。
【図７】本発明の一実施形態に係る椅子の背凭れの表皮材を基体に固定する固定手段の構成を示す図である。
【図８】本発明の一実施形態に係る椅子の背凭れの表皮材を基体に固定する固定手段の構成を示す図である。
【図９】本発明の一実施形態に係る椅子の背凭れの表皮材の芯材部の（ａ）正面図であり、（ｂ）側面図である。
【図１０】本発明の一実施形態に係る椅子の表皮材の取り付方法を示す図である。
【図１１】本発明の一実施形態に係る椅子の表皮材の取り付方法を示す図であり、図１０の後工程を示している。
【図１２】本発明の一実施形態に係る椅子の表皮材の取り付方法を示す図であり、図１１の後工程を示している。
【図１３】本発明の一実施形態に係る椅子の表皮材の取り付方法を示す図であり、図１２の後工程を示している。
【発明を実施するための形態】
【００２５】
以下、本発明の実施形態に係る椅子について、図１から図９を用いて説明する。
図１は、本発明の一実施形態に係る椅子の斜視図である。
図１に示すように、椅子１００は、床面Ｆ上に設置される脚体１と、脚体１に支持された複数の座体２と、各座体２の後端部から上方に立ち上がって設けられた背凭れ（椅子用荷重支持部材）３と、を備えている。本実施形態では、座体２及び背凭れ３は、４個並列配置されている。
以下の説明において、便宜上、椅子１００の座体２に着座した利用者が前を向く方向を「前方」、その反対方向を「後方」と称する。また、椅子１００が設置される床面Ｆ側とその反対側を結ぶ方向を「上下方向」と称する。また、椅子１００の幅方向、つまり前後方向と直交する水平方向を「左右方向」と称する。
【００２６】
（脚体）
脚体１は、床面Ｆ上に設置され、左右方向に離間して配置された一対の脚部１１と、これら一対の脚部１１を連結するビーム１２と、を有している。
【００２７】
脚部１１は、側面視逆Ｖ字状に形成されている。脚部１１の上部には、円筒状に形成されたビーム支持部１３が設けられている。ビーム支持部１３の内側にビーム１２が挿通され固定されることで、ビーム１２は脚部１１に支持されている。
【００２８】
（座体）
各座体２は、脚部１１のビーム１２に固定される支持ブラケット２１と、支持ブラケット２１に固定された座部２３と、を有している。
【００２９】
各座体２において、支持ブラケット２１は、左右方向に離間して一対設けられている。支持ブラケット２１には、左右方向に延びる取付穴（不図示。以下同じ。）が形成されている。取付穴に脚部１１のビーム１２が挿通され固定されている。
【００３０】
座部２３は、支持ブラケット２１に固定された座板（不図示。以下同じ。）と、座板に支持されたクッション材（不図示。以下同じ。）と、クッション材（不図示。以下同じ。）を被覆する表皮材２４と、を有している。
【００３１】
（背凭れ）
次に、背凭れ３の構成について詳細に説明する。
各背凭れ３は、背板（基体）３０と、背板３０に接着されたクッション材５０と、クッション材５０を覆う表皮材６０と、を備えている。
【００３２】
（背板）
背板３０の下端部は、支持ブラケット２１、座部２３の後端部等に固定されている。
【００３３】
図２は、背凭れ３の背板３０の正面図である。図３は、図２のＡ−Ａ断面図（端面図）である。図４は、図２のＢ−Ｂ断面図（端面図）である。図５は、図２のＣ−Ｃ断面図（端面図）である。
図２から図５に示すように、背板３０は、板状に形成され、前面が着座者から入力される荷重を支持する荷重支持面３０Ｆとされている。本実施形態では、背板３０は、ポリプロピレン（ＰＰ）で構成されていて、弾性変形が可能であるとともに所定の強度を有している。
【００３４】
背板３０は、全体的に、下方から上方に向かうにしたがって次第に後方に向かうように形成されている。背板３０は、略水平形成された上平面部３１と、上平面部３１の前端部から前方に膨らむように湾曲した上湾曲部３２と、上湾曲部３２から下方に延びる主板部３３と、を有している。上平面部３１、上湾曲部３２及び主板部３３は、一体的に成形されている。
【００３５】
主板部３３の荷重支持面３０Ｆは、上部３３Ｔが後方に向かってわずかに凹むように湾曲し、下部３３Ｂが前方に向かってわずかに膨らむように湾曲している。
【００３６】
図２及び図４に示すように、主板部３３の上部３３Ｔにおいて、荷重支持面３０Ｆには、後方に向かって折曲された壁部４１が設けられている。壁部４１は、正面視矩形状をなすように配置されている。つまり、上下方向に離間して配置された一対の壁部４１と、左右方向に離間して配置された一対の壁部４１とで、正面視矩形状をなしている。左右方向に離間して配置された壁部４１は、背板３０の幅方向の端部よりもわずかに内側に配置されている。
【００３７】
各壁部４１は、底部４１Ｂで連結されている。底部４１Ｂには、後方（荷重の入力方向）に向かって凹み、左右方向（一方向）に延びる溝（位置決め部）４２が形成されている。溝４２の底面は、略円弧状に形成されている。溝４２の左右方向の両端部は、それぞれ端壁部４２Ａにより閉塞されている。端壁部４２Ａには、後述する被係止部７６の左右方向の端部が当接している。
【００３８】
図６は、背凭れ３の係止片４３周辺の拡大図である。
図３、図５及び図６に示すように、底部４１Ｂには、前方に向かって突出した係止片（係止部）４３が設けられている。
【００３９】
図２に示すように、係止片４３は、背板３０の左右方向に離間して５箇所に設けられている。左右方向の中央の係止片４３は溝４２の上側から突出し、他の係止片４３は溝４２の下側から突出している。
【００４０】
図６に示すように、係止片４３は、底部４１Ｂから立ち上がる立設部（基部）４４と、立設部４４から溝４２を覆うように延びる延出部（係止本体）４５と、延出部４５から荷重支持面３０Ｆ側に向かって延びる係止爪部４６と、を有している。
【００４１】
係止片４３の係止爪部４６と底部４１Ｂとの間には、後述する表皮材６０の被係止部７６が挿通可能な挿通空間４３Ｓが形成されている。挿通空間４３Ｓは、荷重の入力方向に対して交差する方向、換言すると荷重支持面３０Ｆに沿う方向に開口している。係止片４３は、挿通空間４３Ｓを開閉する方向に弾性変形可能に構成されている。
【００４２】
また、底部４１Ｂにおいて、係止片４３が設けられている位置では、溝４２が底部４１Ｂを貫通して貫通孔４２Ｈとして形成されている。つまり、溝４２は、底部４１Ｂの左右方向の略全長にわたって連続して形成されていて、そのうちの係止片４３が設けられている位置では、底部４１Ｂを貫通した貫通孔４２Ｈが係止片４３の左右方向の略全長にわたって形成されている。
【００４３】
また、底部４１Ｂには、溝４２を挟んで係止片４３が立ち上がる側と反対側に、立設された抜け止め突起（抜け止め部）４７が設けられている。
【００４４】
図２に示すように、抜け止め突起４７は、背板３０の左右方向の中央の係止片４３及び左右両端側の係止片４３の周囲に設けられている。抜け止め突起４７は、これらの係止片４３と、左右方向に所定距離離間して配置されている。
【００４５】
また、背板３０の後面には、上下方向及び左右方向に延びるリブ４９が間隔を有して複数形成されている。
【００４６】
（クッション材）
図７及び図８は、背凭れ３の表皮材６０を背板３０に固定する固定手段１０の構成を示す図である。図７は係止片４３が設けられている箇所で切断した断面図であり、図８は抜け止め突起４７が設けられている箇所で切断した断面図である。
図７及び図８に示すように、クッション材５０は、背板３０の荷重支持面３０Ｆの略全面にわたって設けられ、荷重支持面３０Ｆに接着剤５１等により固定されている。クッション材５０は、弾性変形可能な部材であって、例えばウレタン等により構成されている。なお、クッション材５０は、背板３０と一体成型された構成であってもよい。
【００４７】
クッション材５０には、左右方向に延びる隙間５０Ｓが形成されている。隙間５０Ｓは、クッション材５０の厚み方向にわたって形成されている。図１に示すように、隙間５０Ｓは、背凭れ３の上下方向の中央よりも上側に形成されている。
【００４８】
（表皮材）
図７及び図８に示すように、表皮材６０は、クッション材５０の表面を覆う表皮部６１と、表皮部６１に設けられた芯材（芯材部）７０と、を有している。
【００４９】
本実施形態では、表皮部６１は、隙間５０Ｓよりも上側のクッション材５０を覆う上表皮部６２と、隙間５０Ｓよりも下側のクッション材５０を覆う下表皮部６３と、を有している。上表皮部６２の下端部と下表皮部６３の上端部とは、互いに接合部６４で接合されている。接合部６４は、クッション材５０の隙間５０Ｓに配置されている。表皮部６１は、例えば皮革、布、ビニール系素材等により構成されている。
【００５０】
図９は、表皮材６０の芯材７０の（ａ）正面図であり、（ｂ）側面図である。
図７から図９に示すように、芯材７０は、表皮部６１の左右方向にわたって設けられている。芯材７０は、表皮部６１の接合部６４等に固定される接合布部７１と、接合布部７１の端部に設けられた被係止部７６と、を有している。
【００５１】
接合布部７１には、背板３０の係止片４３に対応する位置に挿通孔７１Ｈが形成されている。本実施形態では、接合布部７１は不織布により構成されている。
【００５２】
被係止部７６は、断面視略楕円状をなしている。なお、被係止部７６の短辺の全長Ｌ１（図９参照）は、係止片４３の挿通空間４３Ｓの長さＬ２（図７参照）（係止片４３の係止爪部４６の先端部から底部４１Ｂまでの長さ）よりもわずかに長い。本実施形態では、被係止部７６はポリプロピレン（ＰＰ）で構成されている。
【００５３】
図７に示すように、係止片４３が設けられている箇所では、芯材７０の被係止部７６は、係止片４３に係止されている。具体的には、被係止部７６は、係止片４３の挿通空間４３Ｓから貫通孔４２Ｈ側に挿通され、芯材７０の挿通孔７１Ｈに係止片４３が挿通され、係止片４３は係止片４３の立設部４４、延出部４５及び係止爪部４６に沿って配置されている。これにより、被係止部７６は、クッション材５０側（前方）への移動が規制されている。
【００５４】
図８に示すように、係止片４３が設けられていない箇所では、芯材７０の被係止部７６は、背板３０の溝４２に沿って配置されている。
【００５５】
このように、左右方向に延びる被係止部７６は、係止片４３が設けられた左右方向の５箇所で、係止片４３に係止されている。また、係止片４３が設けられている箇所及び係止片４３が設けられていない箇所において、被係止部７６の荷重支持面３０Ｆからの離間距離は一定である。
【００５６】
本実施形態では、溝４２、被係止部７６、係止片４３が、表皮材６０と背板３０に固定する固定手段１０を構成している。
【００５７】
次に、上記のように構成された背凭れ３の表皮材６０の取り付け方法について、主に図１０から図１３を用いて説明する。
図１０から図１３は、表皮材６０の取り付方法を示す図であり、工程の順に図１０から図１３を示している。図１０においては、背板３０の図示を省略している。
まず、クッション材５０における隙間形成工程を行う。
図１１に示すように、背板３０にクッション材５０を接着剤５１等で固定した後に、図１０に二点鎖線で示すように、カッター等で切込みを入れ、芯材７０を差し込むための隙間５０Ｓを形成する。
なお、クッション材５０と背板３０とが一体成型される構成では、成形後に、上下方向及び左右方向に所定の幅を有する開口部（隙間）が形成されるようにすることが望ましい。
【００５８】
次に、芯材挿入工程を行う。
図１１に示すように、クッション材５０に形成された隙間５０Ｓに手を差し込んで、隙間５０Ｓを押し広げて、その間に表皮材６０に設けられた芯材７０を挿入する。
【００５９】
次に、被係止部位置決め工程を行う。
図８に示すように、係止片４３が設けられていない箇所において、芯材７０の被係止部７６を、背板３０の溝４２に沿って配置する。この段階で、被係止部７６の左右方向の端部が、それぞれ溝４２の端壁部４２Ａに当接することで、被係止部７６の溝４２内における左右方向の位置がある程度決まる。
【００６０】
次に、被係止部係止工程を行う。
ここで、図１１に示すように、係止片４３の挿通空間４３Ｓの長さＬ２（係止片４３の係止爪部４６の先端部から底部４１Ｂまでの長さ）は、被係止部７６の短辺の全長Ｌ１よりもわずかに短い。このため、図１２に示すように、係止片４３が設けられている箇所において、被係止部７６を挿通空間４３Ｓに配置して、被係止部７６で係止片４３を押し広げ、挿通空間４３Ｓを開く方向に係止片４３を弾性変形させる。
【００６１】
そして、図１３に示すように、被係止部７６を係止片４３と背板３０の貫通孔４２Ｈとの間に配置して、芯材７０の挿通孔７１Ｈに係止片４３を挿通させる。被係止部７６を溝４２内に配置する段階で、被係止部７６の左右方向の端部をそれぞれ溝４２の端壁部４２Ａに当接させることで、被係止部７６の溝４２内における左右方向の位置がある程度決まっている。よって、芯材７０の左右方向における位置と挿通孔７１Ｈの左右方向における位置との間にずれが生じにくいため、芯材７０の挿通孔７１Ｈに係止片４３を容易に挿通させることができる。
【００６２】
図７に示すように、係止片４３は、挿通空間４３Ｓを閉じる方向に弾性変形して、係止片４３は元の状態に戻るとともに、被係止部７６は回転して係止片４３に係止される。この際に、係止片４３が設けられていない箇所において、溝４２の底部は円弧状に形成されているため、被係止部７６は溝４２の底部に沿って回転しやすい。
【００６３】
このように構成された椅子１００では、表皮材６０を背板３０に固定する際には、背板３０の底部４１Ｂから後方に凹み左右方向に延びる溝４２に、表皮材６０の芯材７０に設けられ左右方向に延びる被係止部７６を配置する。次に、底部４１Ｂに設けられた係止片４３で、左右方向に延びる被係止部７６の一部を係止させる。このように、表皮材６０に設けられた被係止部７６を背板３０の溝４２に位置決めさせるため、作業者が視認できない状態でも、被係止部７６の背板３０に対する位置ずれ等が抑制され、適切な位置に配置することができる。そして、適切な位置に配置した状態で、左右方向に延びる被係止部７６の一部を係止片４３で係止させれば、表皮材６０が背板３０に固定されるため、容易に固定作業を行うことができる。よって、視認できない状態で、表皮材６０を適切かつ容易に背板３０に固定することができる。
【００６４】
また、表皮材６０を背板３０に固定する際には、係止片４３の先端部と底部４１Ｂとの間に形成された挿通空間４３Ｓに被係止部７６を挿通させて、被係止部７６を係止片４３で覆うように係止させればよい。よって、容易な作業で、表皮材６０を背板３０に固定することができる。
【００６５】
また、係止片４３の先端部には、底部４１Ｂ側に向かって延びる係止爪部４６が設けられているため、係止片４３に係止された被係止部７６が係止片４３から抜け出すことが抑制される。
【００６６】
また、溝４２の左右方向の長さは、係止片４３の左右方向の長さよりも長いため、被係止部７６を溝４２に位置決めする際には、被係止部７６の延在方向（左右方向）にわたって適切に位置決めすることができる。また、被係止部７６を係止片４３で覆うように係止させる前の段階、つまり被係止部７６を溝４２に配置する段階において、係止片４３が配置されていない箇所では、係止片４３が干渉とならないため、被係止部７６の損傷が抑制される。
【００６７】
また、係止片４３は、溝４２の上側から立ち上がるものと、溝４２の下側から立ち上がるものとがある。よって、溝４２の上側から立ち上がる係止片４３に係止された被係止部７６は、溝４２の下側から立ち上がる係止片４３の立設部４４により、下側への移動が規制される。同様に、溝４２の下側から立ち上がる係止片４３に係止された被係止部７６は、溝４２の上側から立ち上がる係止片４３の立設部４４により、上側への移動が規制される。よって、被係止部７６は、溝４２を挟んで上下両側に抜けることが防止される。
【００６８】
また、溝４２を挟んで係止片４３が設けられる側とは反対側には、抜け止め突起４７が立設されている。よって、被係止部７６が溝４２を挟んで係止片４３が設けられる側とは反対側に移動しようとした際には、被係止部７６が抜け止め突起４７と干渉するため、被係止部７６が係止片４３から抜け出すことが抑制される。
【００６９】
また、係止片４３が設けられている箇所及び係止片４３が設けられていない箇所において、被係止部７６の荷重支持面３０Ｆからの離間距離は一定である。よって、被係止部７６が係止片４３に係止された状態で、被係止部７６が荷重支持面３０Ｆからの離間する方向に曲がったり、偏心したりすることがないため、被係止部７６の破損が防止される。
【００７０】
これ以外にも、本発明の主旨を逸脱しない限り、上記実施の形態で挙げた構成を取捨選択したり、他の構成に適宜変更したりすることが可能である。
【００７１】
例えば、上記に示す実施形態では、荷重支持部材の一例として背凭れ３を例に挙げて説明したが、本発明はこれに限られず、座体２にも適用可能である。
【００７２】
また、上記に示す実施形態では、溝４２は背板３０の左右方向に沿って連続して形成されているが、本発明はこれに限られず、溝４２が背板３０の左右方向に分断されて形成されていてもよい。
【００７３】
また、上記に示す実施形態では、係止片４３は溝４２を挟んで一方側から立ち上がるものと、他方側から立ち上がるものとで構成されているが、本発明はこれに限られず、係止片４３は溝４２の一方側からのみ立ち上がる構成であってもよい。
【００７４】
また、上記に示す実施形態では、背板３０に抜け止め突起４７が設けられているが、本発明はこれに限られず、背板３０に抜け止め突起４７が設けられていなくてもよい。
【符号の説明】
【００７５】
１…脚体
１０…固定手段
１１…脚部
１２…ビーム
２…座体
２３…座部
３…背凭れ
３０…背板（基体）
３０Ｆ…荷重支持面
４１Ｂ…底部
４２…溝（位置決め部）
４２Ｈ…貫通孔
４３…係止片（係止部）
４３Ｓ…挿通空間
４４…立設部（基部）
４５…延出部（係止本体）
４６…係止爪部
４７…抜け止め突起（抜け止め部）
４９…リブ
５０…クッション材
５０Ｓ…隙間
６０…表皮材
６１…表皮部
７０…芯材（芯材部）
７１…接合布部
７１Ｈ…挿通孔
７６…被係止部
１００…椅子
Ｆ…床面
【図１】
0006703419.tif 000002
【図２】
0006703419.tif 000003
【図３】
0006703419.tif 000004
【図４】
0006703419.tif 000005
【図５】
0006703419.tif 000006
【図６】
0006703419.tif 000007
【図７】
0006703419.tif 000008
【図８】
0006703419.tif 000009
【図９】
0006703419.tif 000010
【図１０】
0006703419.tif 000011
【図１１】
0006703419.tif 000012
【図１２】
0006703419.tif 000013
【図１３】
0006703419.tif 000014